(57)【要約】【課題】  部品点数を削減してコストの低減を図り、駆動源を有効に活用することができる斜板式可変容量形ピストンポンプを提供することを目的とする。【解決手段】  斜板式可変容量形ピストンポンプの吐出圧と吐出量との関係を、馬力一定制御の動力理論値の双曲線に近似させることができるように、吐出圧に応じて斜板を傾転させて吐出量を制御するための制御機構と、前記制御機構による斜板の傾転方向に付勢されたばねとを備える斜板式可変容量ピストンポンプであって、前記ばねを複数のばね定数を備えた１本のばねにより構成したことを特徴とする。【選択図】  図１
2005256746.tif 000002
【特許請求の範囲】
【請求項１】
斜板式可変容量形ピストンポンプの吐出圧と吐出量との関係を、馬力一定制御の動力理論値の双曲線に近似させることができるように、吐出圧に応じて斜板を傾転させて吐出量を制御するための制御機構と、前記制御機構による斜板の傾転方向に付勢されたばねとを備える斜板式可変容量ピストンポンプであって、前記ばねを複数のばね定数を備えた１本のばねにより構成したことを特徴とする斜板式可変容量形ピストンポンプ。
【請求項２】
前記ばねを、少なくとも３つ以上のばね定数を有する不等ピッチコイルばねにより構成したことを特徴とする請求項１に記載の斜板式可変容量形ピストンポンプ。
【発明の詳細な説明】
【技術分野】
【０００１】
本発明は、斜板式可変容量形ピストンポンプに関するものである。
【背景技術】
【０００２】
従来の斜板式可変容量形ピストンポンプの一例として、図３に示される構成のものがある。
この斜板式可変容量形ピストンポンプの構成は、ポンプハウジングａ内で駆動軸ｂにより回転されるシリンダブロックｃに、その回転軸方向に延びる複数のシリンダ室ｄ，ｄを形成し、各シリンダ室ｄ内にピストンｅを往復動自在に設け、該シリンダブロックｃの円形の端壁ｆに集合弁ｇを当接させ、各ピストンｅの頭部をばねｈと制御ピストンｉとでｊを中心にして傾転するハンガーｋに回転接触させたものである。
このような斜板式可変容量形ピストンポンプでは、駆動源のエネルギーを有効利用するために、吐出圧（負荷圧力）と吐出量との関係が、図４に示される馬力一定制御の動力理論値の双曲線ｘで示される関係にできる限り近似させる必要があった。
このため、従来ではばねｈは、ばね定数及び自由高さが各々異なる２個の等ピッチコイルばねを、並列法により同心組み合わせて、線図ｚで示されるように、ばね定数を２段階に変化させて馬力一定制御の動力理論値の双曲線に近似させるようにしていた。
しかしながら、並列法による同心組み合わせコイルばねを使用すると、吐出量の制御部の構成品数が増えてコストがかかるという問題があった。また、並列に組み合わせて馬力一定制御の動力理論値の双曲線ｘに近似させようとした場合に、組み合わせられるばねの数は、大きさの制約から２個が限度であり、結果として得られる特性線図と馬力一定制御の動力理論値の双曲線ｘとの差が大きい部分がどうしてもできてしまい駆動源エネルギーを有効に利用することができていなかった。
【発明の開示】
【発明が解決しようとする課題】
【０００３】
そこで、本発明は、部品点数を削減してコストの低減を図り、駆動源を有効に活用することができる斜板式可変容量形ピストンポンプを提供することを目的とする。
【課題を解決するための手段】
【０００４】
上記課題を解決するために、ばね定数がたわみ量に応じて変化する不等ピッチコイルばねを用いることで、組み合わせばねを利用せずに、馬力一定制御の動力理論値の双曲線に近似させることができるという知見に基づき、下記の通り解決手段を見出した。
即ち、本発明の斜板式可変容量形ピストンポンプは、請求項１に記載の通り、斜板式可変容量形ピストンポンプの吐出圧と吐出量との関係を、馬力一定制御の動力理論値の双曲線に近似させることができるように、吐出圧に応じて斜板を傾転させて吐出量を制御するための制御機構と、前記制御機構による斜板の傾転方向に付勢されたばねとを備える斜板式可変容量ピストンポンプであって、前記ばねを複数のばね定数を備えた１本のばねにより構成したことを特徴とする。
また、請求項２に記載の本発明は、前記ばねを、少なくとも３つ以上のばね定数を有する不等ピッチコイルばねにより構成したことを特徴とする。
【発明の効果】
【０００５】
本発明によれば部品点数削減する一方で、吐出圧及び吐出量の関係を、馬力一定制御の動力理論値の双曲線に近似させることができ、駆動源のエネルギーを有効に活用することができる。また、斜板式可変容量形ピストンポンプの製造コストを低減することができる。
【発明を実施するための最良の形態】
【０００６】
本発明の第１の実施の形態の斜板式可変容量形ピストンポンプは、斜板式可変容量形ピストンポンプの吐出圧と吐出量との関係を、馬力一定制御の動力理論値の双曲線に近似させることができるように、吐出圧に応じて斜板を傾転させて吐出量を制御するための制御機構と、前記制御機構による斜板の傾転方向に付勢されたばねとを備える斜板式可変容量ピストンポンプにおいて、前記ばねを複数のばね定数を備えた１本のばねにより構成したことにより、部品点数削減する一方で、吐出圧及び吐出量の関係を、馬力一定制御の動力理論値の双曲線に近似させることができ、駆動源のエネルギーを有効に活用することができる。本発明において使用されるばねとは、複数のばね定数を備えるものであればよく、例えば、不等ピッチコイルばねや円錐コイルスプリング等を使用することができる。
【０００７】
本発明の第２の実施の形態の斜板式可変容量形ピストンポンプは、第１の実施の形態の斜板式可変容量形ピストンポンプにおいて、前記ばねを、少なくとも３つ以上のばね定数を有する不等ピッチコイルばねにより構成したことにより、馬力一定制御の動力理論値の双曲線に近似する制御が可能となり、しかも、等ピッチのコイルばねを物理的に組み合わせることができないような場合であっても、１本の不等ピッチコイルばねによる制御が可能となる。また、前記双曲線に近い制御が可能となる。
【実施例】
【０００８】
次に、本発明の実施例について図１を用いて説明する。
図１において、符号１はポンプハウジング２の内外に挿通した駆動軸３により回転されるシリンダブロックを示し、該シリンダブロック１の内部にはその回転軸と平行する複数のシリンダ室４が環状に配置され、各シリンダ室４の内部には往復動自在にピストン５が設けられる。該ピストン５の頭部は、不等ピッチコイルばね６と制御ピストン７により中心軸Ａを中心として傾転作動する斜板９の上におかれたプレート１０の面１０ａに摺接回転するピストンシュー１１に揺動自在に取り付けられる。該シリンダブロック１の端面には、各シリンダ室４に連通する開口が形成され、該端面に円板状の集合弁１２が当接して設けられる。該集合弁１２には、図示しないが、繭形の吸入口と吐出口とが、その厚さ方向の貫通方向に設けられる。
【０００９】
制御ピストン７は、斜板９の一端に当接し、吐出圧が大きくなるにしたがって、斜板９の傾転角度を小さくする方向に作用している。
不等ピッチコイルばね６は、駆動軸３を挟んで制御ピストン７と反対側で斜板９に当接され、斜板９の傾転方向に付勢されている。本実施例では、不等ピッチコイルばね６は、３つのばね定数を備えるようにした。
以上の構成により、駆動軸３を回転し、不等ピッチコイルばね６により、吐出量が制御されたシリンダ室４のシリンダブロック１が回転され、シリンダ室４から交互に集合弁１２の吐出口を介して流体が吐出され、夫々の系統のアクチュエータの作動に消費されることになる。
この時の吐出圧と吐出量との関係は、図２の線図ｙに示すように、馬力一定制御の動力理論値の双曲線ｘに近似することになる。これに対して、従来の等ピッチコイルばねを使用した場合には、線図ｚに示すように、馬力一定制御の動力理論値の双曲線ｘから離れてしまい駆動エネルギーを有効に活用できないことがわかる。
【図面の簡単な説明】
【００１０】
【図１】実施例の斜板式可変容量形ピストンポンプの概略構成図
【図２】同斜板式可変容量形ピストンポンプの吐出圧と吐出量との関係を示す制御線図
【図３】従来の斜板式可変容量形ピストンポンプの概略構成図
【図４】従来の斜板式可変容量形ピストンポンプの吐出圧と吐出量との関係を示す制御線図
【符号の説明】
【００１１】
１    シリンダブロック
２    ポンプハウジング
３    駆動軸
４    シリンダ室
５    ピストン
６    不等ピッチコイルばね
７    制御ピストン
９    斜板
１０    プレート
１１    ピストンシュー
１２    集合弁
【図１】
2005256746.tif 000003
【図２】
2005256746.tif 000004
【図３】
2005256746.tif 000005
【図４】
2005256746.tif 000006